(57)【特許請求の範囲】
【請求項１】
長方形の個室スペース内の一方の短辺側に便器を前向きに設置し、前記個室スペースの一方の長辺側には、前方側の出入口と後方側の戸袋パネルとを設け、前記出入口には、後方側に開く手動の片開き式の吊戸を設置し、該吊戸は、前記戸袋パネルに収納して前記出入口を開放し、前記出入口の戸先側には、前記吊戸、戸袋パネルと同一直線上の戸当りパネルを設け、該戸当りパネルは、仕切りパネルを介して前方側に隣接するトイレブースの戸袋パネルと一体に形成し、前方側のトイレブースの前記戸袋パネルの後端部分を後方側のトイレブースの前記戸当りパネルとして利用することを特徴とするトイレブース。
【請求項２】
前記戸当りパネルの前記出入口側の先端は、目板材、戸当り材を介して閉じることを特徴とする請求項１記載のトイレブース。
【請求項３】
前記戸当りパネルの壁側は、前記出入口側の目板材、戸当り材と同一の目板材、連結材と、壁にねじ止めするレールとを組み合わせて壁に支持させることを特徴とする請求項２記載のトイレブース。
【発明の詳細な説明】
【技術分野】
【０００１】
この発明は、個室スペースの内外にデッドスペースを生じることがなく、内部の壁面を有効に利用することができるトイレブースに関する。
【背景技術】
【０００２】
たとえば建築物の内部に設置するトイレブースは、長方形の個室スペースの短辺側に出入口を設け、内開き式または外開き式のドアを介して出入口を開閉するのが普通である（たとえば特許文献１、２）。多人数用のトイレを構築する場合に、トイレ全体をコンパクトにまとめることができるからである。
【０００３】
しかし、ドアは、開閉用の扇形のデッドスペースを個室スペースの内側または外側に生じるため、使い勝手がよくないという欠点がある。そこで、各個室スペースの短辺側の出入口に対し、外側に円弧状に湾曲する吊戸を設置することが提案されている（特許文献３）。
【特許文献１】特開２００４−３５３４０２号公報
【特許文献２】特開２００６−２７４５９０号公報
【特許文献３】特開２００３−２３９６１７号公報
【発明の開示】
【発明が解決しようとする課題】
【０００４】
かかる従来技術によるときは、外側に湾曲する吊戸は、円形軌道に沿って開閉するものであり、必ずしも一般的でないため、開閉操作時に強い異和感を生じることが否めない。また、このものは、吊戸自体の開閉操作が重くなりがちである上、個室スペース内の出入口側の角部分に無駄なデッドスペースを生じることが避けられないという問題もあった。
【０００５】
なお、直線移動形の一般的な吊戸や引戸は、トイレブース用として殆ど使用されない。これらの吊戸や引戸は、個室スペースの短辺側の出入口を半分しか開放することができず、実用性に欠けるからである。加えて、吊戸や引戸は、個室スペースを区画する壁パネルの内側に設置するとすれば、内部の壁面をペーパホルダなどの取付面として有効利用することができず、壁パネルの外側に設置するとすれば、トイレブース自体の外観が見苦しくなることが避けられない。
【０００６】
そこで、この発明の目的は、かかる従来技術の実情に鑑み、個室スペースの長辺側に出入口を設け、戸袋パネルに収納する吊戸を使用することによって、使い勝手がよく、個室スペースの内外にデッドスペースを生じることがない上、内部の壁面をも有効に利用することができるトイレブースを提供することにある。
【課題を解決するための手段】
【０００７】
かかる目的を達成するためのこの発明の構成は、長方形の個室スペース内の一方の短辺側に便器を前向きに設置し、個室スペースの一方の長辺側には、前方側の出入口と後方側の戸袋パネルとを設け、出入口には、後方側に開く手動の片開き式の吊戸を設置し、吊戸は、戸袋パネルに収納して出入口を開放し、出入口の戸先側には、吊戸、戸袋パネルと同一直線上の戸当りパネルを設け、戸当りパネルは、仕切りパネルを介して前方側に隣接するトイレブースの戸袋パネルと一体に形成し、前方側のトイレブースの戸袋パネルの後端部分を後方側のトイレブースの戸当りパネルとして利用することをその要旨とする。
【０００８】
なお、戸当りパネルの出入口側の先端は、目板材、戸当り材を介して閉じることができ、戸当りパネルの壁側は、出入口側の目板材、戸当り材と同一の目板材、連結材と、壁にねじ止めするレールとを組み合わせて壁に支持させることができる。
【０００９】
ただし、この発明において、前後とは、個室スペース内に設置する便器の前後方向に一致させていうものとする。
【発明の効果】
【００１０】
かかる発明の構成によるときは、出入口は、長方形の個室スペースの一方の長辺の前方側に設けられており、後方側に開く吊戸を介して開閉することができる。また、吊戸は、出入口を開放するとき、後方側の戸袋パネルに収納される。そこで、戸袋パネルの内面は、ペーパホルダなどの取付面として有効に利用することができる上、吊戸は、個室スペースの内外に無駄なデッドスペースを生じることがなく、トイレブースの外観を損うおそれもない。
【００１１】
なお、トイレブースは、建物の壁を利用して個室スペースの隣接する二辺を形成するように、建物の隅部分に設置してもよく、建物の壁を利用して個室スペースの一方の長辺を形成するように、建物の壁に沿って設置してもよい。また、これらのトイレブースは、仕切りパネルを介して複数を前後に縦続して設置してもよい。さらに、トイレブースは、出入口、戸袋パネルを設ける一方の長辺側を除く三辺を適切な仕切りパネルで形成し、屋内または屋外に単独設置することも可能である。
【００１２】
出入口の戸先側に幅狭の戸当りパネルを設ければ、閉鎖状態の吊戸の戸先側を適切に位置決めし、開放操作をし易くすることができる。特に、個室スペースの前端を建物の壁によって区画する場合であっても、閉鎖時の吊戸の戸先側は、戸当りパネルの幅相当だけ建物の壁から離れているから、開放操作時に戸先側の把手を握り易い上、全体外観を一層向上させることができる。
【００１３】
複数のトイレブースを前後に縦続して設置するとき、前方側のトイレブースの戸袋パネルの後端部分を後方側のトイレブースの戸当りパネルとして利用することにより、別体の戸当りパネルを製作する必要がない。すなわち、戸当りパネルは、前方側に隣接するトイレブースの戸袋パネルと一体に形成することができる。
【発明を実施するための最良の形態】
【００１４】
以下、図面を以って発明の実施の形態を説明する。
【００１５】
トイレブース１０は、長方形の個室スペースＳ内に便器Ｂを設置し、個室スペースＳの一方の長辺側に戸袋パネル１１、吊戸２０を設けてなる（図１、図２）。ただし、図１、図２において、トイレブース１０、１０は、直角に屈曲する建物の壁Ｗ、Ｗを利用して、床Ｆ、天井Ｃを有する図示しない建物の隅部分に前後に縦続して設置されている。
【００１６】
トイレブース１０、１０は、仕切りパネル１２を介して縦続され、後方側のトイレブース１０の後端は、別の仕切りパネル１３を介して閉じられている。便器Ｂは、各個室スペースＳ内において、一方の短辺側に前向きに設置され、便器Ｂの前方は、他方の短辺までの間が広く空けられている。また、個室スペースＳの壁Ｗ側の一方の長辺側には、手摺りＨが設置され、他方の長辺側の内部の壁面、すなわち戸袋パネル１１の室内側の表面には、ペーパホルダＰＨが取り付けられている。さらに、個室スペースＳの後部の戸袋パネル１１側の隅部分には、コーナ形の棚板ＳＰが適当な高さ位置に設置されている。なお、戸袋パネル１１の室内側の表面には、図示しない掲示ボードや吊り棚なども設置可能である。
【００１７】
各個室スペースＳの壁Ｗ側でない一方の長辺側には、前方側の出入口Ｐが開口され、後方側の戸袋パネル１１が設けられている。出入口Ｐには、後方側に開く片開き式の吊戸２０が設置され、出入口Ｐの戸先側には、幅狭の戸当りパネル１４が吊戸２０、戸袋パネル１１と同一直線上に設けられている。ただし、後方側のトイレブース１０の戸当りパネル１４は、前方側に隣接するトイレブース１０の戸袋パネル１１と一体に形成されている。吊戸２０の戸先側には、開閉用の把手２０ａが両面に突出して付設されており、把手２０ａの上方には、閉鎖状態の吊戸２０を室内側から施錠するロック２２が配置されている。なお、ロック２２は、把手２０ａの近傍に配置すればよく、把手２０ａは、埋込形として吊戸２０の各面に設けてもよい。
【００１８】
吊戸２０は、前後の吊車２３、２３を介し、出入口Ｐの上部のガイドレール２３ａから前後に移動自在に吊下されている（図３、図４）。ガイドレール２３ａは、戸袋パネル１１の内部にまで延長されており、目板材１５ａを介して上方の笠木材１５によって支持されている。各吊車２３の前後には、クッション材が付設され、ガイドレール２３ａの前端部、後端部には、それぞれ前後の吊車２３、２３が当接する前後の戸当り２３ｂ、２３ｂが組み込まれている。また、ガイドレール２３ａの前端には、ロック金具２２ｂが組み込まれ、ロック金具２２ｂは、ロック２２を介して上方に駆動するロックピン２２ａを下から係合させることにより、閉鎖状態の吊戸２０を開放不能に施錠することができる。
【００１９】
各吊車２３は、連結ボルト２３ｃ、連結金具２３ｄを介して吊戸２０の上端の構造材２１ａに付設されている。ただし、吊戸２０は、上下の構造材２１ａ、２１ｂ、ペーパハニカムの芯材２１ｃに対して表面材２１ｄ、２１ｄを付設して仕上げられている。下の構造材２１ｂには、振れ止め用のガイドローラ２４が係合しており、ガイドローラ２４は、戸袋パネル１１内の戸先側に上向きに設置されている。また、戸袋パネル１１内の戸尻側には、戸当り２５ａが設置され、戸当り２５ａは、吊戸２０の戸尻側のクッション材２５ｂに対応している。
【００２０】
戸袋パネル１１は、吊戸２０を収納可能な間隙を介して設置する２枚１組のパネル１１ａ、１１ａから構成されている。戸袋パネル１１は、床Ｆ上の床レール１１ｂに対し、調節ボルト１１ｅを介して高さ調節可能な幅木材１１ｃ、目板材１１ｄを介して設置されている。ただし、調節ボルト１１ｅは、床レール１１ｂの上面に突出しており、目板材１１ｄの下面にねじ止めする幅木材１１ｃは、床レール１１ｂに対して上から嵌合され、調節ボルト１１ｅによって支持されている。
【００２１】
戸袋パネル１１の戸先側の先端は、出入口Ｐに向けて開口している（図５）。また、出入口Ｐの戸先側の戸当りパネル１４は、戸袋パネル１１と同様に構成され、戸当りパネル１４の出入口Ｐ側の先端は、目板材１４ａ、戸当り材１４ｂを介して閉じられている。そこで、前方側のトイレブース１０の戸袋パネル１１の後端部分は、そのまま後方側のトイレブース１０の戸当りパネル１４として利用することができる。なお、吊戸２０の戸先には、戸当り材１４ｂに対応するクッション材２５ｃが上下方向に付設されている。
【００２２】
戸当りパネル１４の壁Ｗ側は、たとえば目板材１４ｃ、連結材１４ｄと、壁Ｗにねじ止めするレール１４ｅとを組み合わせて壁Ｗに支持させることができる（図６（Ａ））。ただし、図６（Ａ）は、図２のＸ−Ｘ線矢視相当要部拡大断面図である。なお、目板材１４ｃ、連結材１４ｄは、それぞれ出入口Ｐ側の目板材１４ａ、戸当り材１４ｂと同一部材を使用することができる。
【００２３】
仕切りパネル１２の壁Ｗ側は、たとえば壁Ｗにねじ止めするレール１２ａと、Ｌ字状の連結金具１２ｂとを介して壁Ｗに支持させることができる（図６（Ｂ）〜（Ｄ））。ただし、図６（Ｂ）は、図１のＹ−Ｙ線矢視相当要部拡大断面図であり、図６（Ｃ）、（Ｄ）は、それぞれ同図（Ｂ）の一部破断左側面図、同図（Ｃ）のＺ−Ｚ線矢視相当断面図である。なお、仕切りパネル１２の上端には、チャンネル状の笠木１２ｃが付設されており、連結金具１２ｂは、笠木１２ｃに収納されている。他の仕切りパネル１３の壁Ｗ側も、同様にして壁Ｗに連結することができる。
【００２４】
各トイレブース１０において、全閉状態の吊戸２０（図３、図５の各実線）は、把手２０ａを介して後方側に駆動して出入口Ｐをほぼ全開に開くことができる（同図の各二点鎖線）。また、全開状態の吊戸２０は、前方側に駆動して出入口Ｐを全閉に閉じることができる。なお、吊戸２０の下端部は、開閉動作の全行程に亘り、ガイドローラ２４を介して振れ止めされている。吊戸２０は、戸袋パネル１１に収納することにより出入口Ｐを開放するから、戸袋パネル１１の個室スペースＳ内の表面は、ペーパホルダＰＨなどの取付面として有効に利用することができる。
【００２５】
以上の説明において、トイレブース１０は、仕切りパネル１２を介して２個以上を前後に縦続して設置してもよい（図７（Ａ））。また、トイレブース１０は、直線状の壁Ｗに沿って設置してもよく（同図（Ｂ））、壁Ｗから離して、１個を単独設置し、あるいは、２個以上を縦続して設置してもよい（同図（Ｃ））。なお、図７において、各トイレブース１０の壁Ｗに接しない短辺側、長辺側は、それぞれ仕切りパネル１３、１６によって閉じられている。
【図面の簡単な説明】
【００２６】
【図１】全体構成模式平面図
【図２】全体構成模式正面図
【図３】模式正面構造図
【図４】要部拡大縦断面図
【図５】要部拡大横断面図
【図６】要部拡大説明図
【図７】他の実施の形態を示す模式説明図
【符号の説明】
【００２７】
Ｓ…個室スペース
Ｂ…便器
Ｐ…出入口
１０…トイレブース
１１…戸袋パネル
１２…仕切りパネル
１４…戸当りパネル
２０…吊戸
特許出願人          小松ウオール工業株式会社
代理人  弁理士                松  田  忠  秋
【図１】
0005214927.tif 000002
【図２】
0005214927.tif 000003
【図３】
0005214927.tif 000004
【図４】
0005214927.tif 000005
【図５】
0005214927.tif 000006
【図６】
0005214927.tif 000007
【図７】
0005214927.tif 000008